(57)【要約】  本発明は、可撓性フィルム材料で作られて流体獣医学的製剤を保持して分注するための直立パウチに関する。【選択図】図１
2021530283.tif 000002
【特許請求の範囲】
【請求項１】
パウチ本体であって、
１又は２以上の壁であって、その本体が、流体を保持するためのキャビティを形成する実質的に正方形の断面を定める１又は２以上の壁と、
パウチ本体の上端から延びる切妻屋根の形態の上部閉鎖部であって、一方が容器の前部側面上及び他方がその後部側面上である２つの傾斜部分を含む反転Ｖ字形垂直区画に隣接する上壁を含む前記上部閉鎖部と、
パウチ本体の下端に連続する底部閉鎖部と、
前記底部閉鎖部に向かう前記壁に取り付けられ、液体が本体の内側から分注されることを可能にするように構成された一方向バルブを含む流体分注器と、備えている、
ことを特徴とするパウチ本体。
【請求項２】
前記上部閉鎖部は、本体がホルダから吊されることを可能にする開口部を備えている、
請求項１に記載のパウチ本体。
【請求項３】
２つの開口部を備えている、
請求項２に記載のパウチ本体。
【請求項４】
下側部分が、本体がその上に直立することができるベースを形成するように折り畳み可能である、
請求項３に記載のパウチ本体。
【請求項５】
前記壁は、可撓性フィルム材料である、
請求項１ないし４のいずれか１項に記載のパウチ本体。
【請求項６】
可撓性フィルム材料が、多層積層体である、
請求項１ないし５のいずれか１項に記載のパウチ本体。
【請求項７】
パウチが、ＵＮ  Ｃｏｄｅ  ＵＮ１０２９による材料に関する国連勧告に従って漏出試験、落下試験、衝撃試験、積み重ね試験、引張強度試験、及びキャップ試験に合格することを特徴とするパウチ本体。
【請求項８】
可撓性フィルム材料が、３又は４層積層体である、
請求項１ないし７のいずれか１項に記載のパウチ本体。
【請求項９】
可撓性フィルム材料が、
（ｉ）ＰＥＴ（ポリエチレンテレフタレート）１２μｍ／ＰＥＴｍｅｔ（金属化ポリエステル）／ｏＰＡ（配向ポリアミド）１５μｍ／ＰＥ（ポリエチレン）ＰＥ８０μｍ又は１６０μｍ、及び
（ｉｉ）ＰＥＴ（ポリエチレンテレフタレート）１２μｍ／アルミニウムフィルム９μｍ／ｏＰＡ（配向ポリアミド）１５μｍ／ＰＥ（ポリエチレン）ＰＥ８０μｍ又は１６０μｍ、
から構成される群から選択された４層積層体である、
請求項１ないし８のいずれか１項に記載のパウチ本体。
【請求項１０】
可撓性フィルム材料が、約１２５から約２０５μｍ又は約１３０から約２１０μｍの総厚を有する、
請求項１ないし９のいずれか１項に記載のパウチ。
【請求項１１】
請求項１に記載のパウチと、
ドレンチガンと、を備えているキット。
【請求項１２】
殺虫剤又はダニ駆除剤をそれを必要とする動物に投与する方法であって、
請求項１に記載のパウチ内に保持された殺虫剤又はダニ駆除剤組成物を有する水薬を前記動物に投与する段階、を含む、
ことを特徴とする方法。
【発明の詳細な説明】
【技術分野】
【０００１】
本出願は、流体獣医学的製剤を格納し、搬送し、かつ動物にそれを分注するのに使用するための直立パウチに関する。パウチを充填して使用する方法も提供する。
【０００２】
〔関連出願への相互参照〕
この出願は、引用によって本明細書にその全体が組み込まれて全ての目的に対して依存する２０１９年７月１１日出願の米国仮特許出願第６２／６９６，７１５号の利益を主張するものである。
【背景技術】
【０００３】
流体獣医学的製剤を格納し、搬送し、かつ動物にそれを分注するための現在の直立パウチの欠点は、それらがエンドユーザにとって使用するのが容易ではなく、かつ格納及び搬送するのが困難であることである。
【発明の概要】
【発明が解決しようとする課題】
【０００４】
従って、流体獣医学的製剤を格納し、搬送し、かつ動物にそれを分注するための安全、容易、かつ安定した直立パウチを提供することが本発明の目的である。
【課題を解決するための手段】
【０００５】
本発明は、その具体的な特徴において、添付の実施例を参照して考察する以下の詳細説明からより明らかになるであろう。以下の説明は、獣医用途に関連する本発明によって提供する問題及びソリューションを引き続き議論する。
【０００６】
本発明は、出願人が権利を留保し、かつこれによりあらゆる以前に説明した製品、製品を作る方法、又は製品の使用方法の放棄を公開するように、ＵＳＰＴＯ（３５  Ｕ．Ｓ．Ｃ  １１２、第１段落）又はＥＰＯ（ＥＰＣの条項８３）の書面による説明及び実施可能要件を満足するあらゆる以前に開示した製品、製品を作る方法、又は製品を使用する方法を本発明の範囲内に包含することを意図しないことに注意されたい。
【０００７】
本発明の開示では、特に特許請求の範囲及び／又は段落では、「ｃｏｍｐｒｉｓｅｓ」、「ｃｏｍｐｒｉｓｅｄ」、及び「ｃｏｍｐｒｉｓｉｎｇ」などのような用語は、米国特許法においてそれに帰属する意味を有することができ、例えば、それらは、「ｉｎｃｌｕｄｅｓ」、「ｉｎｃｌｕｄｅｄ」、及び「ｉｎｃｌｕｄｉｎｇ」などを意味することができること、及び「を本質的に構成する」及び「から本質的に構成される」のような用語は、米国特許法においてそれらに帰属する意味を有し、例えば、それらは、明示的に列挙されない要素を考慮するが、従来技術に見られる又は本発明の基本的又は新規の特性に影響を与える要素を除外することに更に注意されたい。
【０００８】
これら及び他の実施形態は、開示されるか又は以下の詳細説明から明らかであるかつそれによって包含される。
【０００９】
本発明のいくつかの特徴を添付図面に関連して更に説明する。
【図面の簡単な説明】
【００１０】
【図１】使用中の本発明の直立パウチの一実施形態の斜視図ある。
【図２】格納又は搬送のための位置にある本発明の直立パウチの一実施形態の斜視図ある。
【図３】パウチ本体の一部分の断面図ある。
【図４Ａ】雌コネクタ本体の実施形態によるパウチ本体の一部分の断面図ある。
【図４Ｂ】キャップ３６及び保護シール４２が取り外された図４Ａの実施形態の断面図ある。
【図４Ｃ】図４Ａの雌コネクタ本体に係合することができる雄コネクタ本体の斜視図ある。
【図４Ｄ】完全に係合した雄及び雌コネクタ本体の断面図ある。
【図５】ホース及びアプリケータを有する使用中の本発明の第２の実施形態の斜視図である。
【図６】図５の実施形態の前面図である。
【図７】図５の実施形態の後面図である。
【図８】図５の実施形態の左側面図である。
【図９】図５の実施形態の右側面図である。
【図１０】図５の実施形態の上面図である。
【図１１】図５の実施形態の底面図である。
【図１２】ＩＴＷ  Ｆａｓｔｅｘ  Ｎｅｗ  Ｚｅａｌａｎｄ、Ｉｌｌｉｎｏｉｓ  Ｔｏｏｌ  Ｗｏｒｋｓ  Ｃｏｍｐａｎｙ、ＩＴＷ  Ｎｅｗ  Ｚｅａｌａｎｄ  Ｌｔｄ  ７  Ｃｈａｒａｎｎ  Ｐｌａｃｅの事業部、アボンデール１０２６、私書箱７１０４１、ローズバンク１３４１８、ニュージーランドによる部品番号ＴＲＵ−ＳＥＡＬ（登録商標）ＰＭＶ２Ｃ  ＶＡＬＶＥ  ＢＡＣＫＵＰ＋ＡＵＳ  ＳＰＯＵＴとして製造され、その説明が引用によって本明細書に組み込まれてかつ依存する分注器噴出口雄部分の側面図である。
【図１３】その説明が引用によって本明細書に組み込まれてかつ依存するＩＴＷ  Ｆａｓｔｅｘ  Ｎｅｗ  Ｚｅａｌａｎｄによる分注器噴出口雌部分ＴＲＵ−ＳＥＡＬ（登録商標）ＰＭＶ２Ｃ  ＣＯＮ  １３ＭＭ  ＳＩＮＧＬＥ  ＢＬＵＥの斜視図である。
【図１４】図１２の分注器雄部分内に保持された一方向バルブの断面図である。
【発明を実施するための形態】
【００１１】
本発明は、流体獣医学的製剤を保持して分注するための直立パウチ１０を提供し、パウチの壁１３は、可撓性フィルム材料で作ることができ、パウチは、
Ａ）１又は２以上の壁１３を含むパウチ本体１２であって、
（ａ）流体を保持するためのキャビティを形成する実質的に正方形の断面を定め、
（ｂ）上部閉鎖部１４が、パウチ本体１２の上端１６から延びる切妻屋根の形態であり、上部閉鎖部１４が、一方が容器の前部側面上で他方がその後部側面上である２つの傾斜部分２０ａ及び２０ｂを含む反転Ｖ字形垂直区画２０に隣接する上壁１８を含み、
（ｃ）底部閉鎖部２２が、パウチ本体１２の下端２４と連続し、かつ
（ｄ）流体分注器３０が、
ｉ）分注器ネック３２と、
ｉｉ）分注器ネック３２から半径方向外向きにかつその近位端で突出する分注器ベース３４と、
ｉｉｉ）パウチの開口壁１３の周囲に、例えばその周りに取り付けられた分注器ベースと、
任意的にｉｖ）分注器ネック３２の遠位端に、例えばネジ切り遠位端４４に密封可能にかつ任意的に螺合可能（４６）に係合して一方向バルブを閉じ込める分注器噴出口５０とを含み、その長さを通って延びる流れ貫通通路を含む上記パウチ本体１２と、
任意的にＢ）ドレンチガンであって、チューブの遠位端でこのガンに接続された流体連通チューブと、パウチ本体からドレンチガンまでの流体流れを可能にするようにチューブの近位端に接続された分注器噴出口とを有し、チューブがコネクタを用いて分注器噴出口に接続された上記ドレンチガンとを備えている。
【００１２】
本発明の好ましい実施形態では、一方向バルブは、バネ荷重式ピンバルブ、バネ荷重式ボールバルブ、フラッパーバルブ、スリットバルブ、バネバルブ、チェックバルブ、スワブ可能バルブ、クアドロローブバルブ、オーバーモールドフラッパーバルブ、ダックビルバルブ、傘バルブ、及びその組合せから構成される群から選択される。
【００１３】
本発明の好ましい実施形態では、コネクタは、迅速結合コネクタ、迅速解除コネクタ、及びその組合せから構成される群から選択される。
【００１４】
好ましい実施形態では、図５、６、７、８、９、１０、及び１１を参照すると、バッグ１００は、全てがパウチを定める前部側面１１０及び裏側面１２０、側壁１３０及び１４０を含む。上端１５０は、上壁１６０を含む。上端１５０は、上壁１６０と底壁１７０の間のほぼ中間でバッグ１００と交差する平面Ｍに向けて上壁１６０から延びる切妻屋根として成形される。上壁１６０は、バッグに担持された活性成分を分注する間にバッグ１００をエンクロージャ又はキャリア、例えばバックパック内で吊すことができるように１又は２以上の格納孔１８０、１９０を含むことができる。上壁１６０は、ハンドル２００を定めることができ、底壁１７０は、ハンドル２１０を定めることができる。
【００１５】
前部側面１１０は、周囲シーム２４０Ａ、２４０Ｂ、２４０Ｃ、２４０Ｄに沿って側壁１３０、１４０に接合することができる。裏側面１２０は、周囲シーム２５０Ａ、２５０Ｂ、２５０Ｃ、２５０Ｄに沿って側壁１３０、１４０に接合することができる。前部側面１１０は、内部シーム２２１Ａ、２２１Ｂ、２２１Ｃ、２２１Ｄに沿って側壁１３０、１４０に接合することができる。裏側面１２０は、内部シーム２３１Ａ、２３１Ｂ、２３１Ｃ、２３１Ｄに沿って側壁１３０、１４０に接合することができる。このようにして、内部シーム２２１、２３１は、周囲シーム２４０、２５０と共に、それぞれ、前部側面１１０上に定められた密封領域２２０Ａ、２２０Ｂ、２２０Ｃ、２２０Ｄ及び裏側面１２０上の２３０Ａ、２３０Ｂ、２３０Ｃ、２３０Ｄを形成することができる。各密封領域２２０、２３０は、一般的に、ほぼ直角三角形の連続シールを含む。このようにして、側壁１３０、１４０は、バッグ本体に交差する平面Ｍによって定められた断面積が平面Ｍ’によって定められた断面積よりも大きいように、平面Ｍ’に向けて内向きに壁１６０，１７０に向けて平面Ｍから傾斜する。
【００１６】
本発明の好ましい実施形態では、一方向バルブは、
（ｉ）例えば形状が実質的に円錐形とすることができる雄コネクタ本体５０であって、その長さを通って延びる流れ貫通５２通路を有し、かつチューブの近位端に取り付けられる上記雄コネクタ本体５０と、
（ｉｉ）形状が実質的に円錐形である雌コネクタ本体３０であって、その長さを通って延びる流れ貫通通路を有し、かつ雄コネクタ本体が雌コネクタ本体に係合している時に流体流れがパウチ本体からドレンチガンまで可能にされ、雄コネクタ本体が雌コネクタ本体から解除された時に流体流れがパウチ本体からドレンチガンまで可能にされないように分注器噴出口に取り付けられる上記雌コネクタ本体３０とを備えている。
【００１７】
一方向バルブの例示的非限定的実施形態では、バルブ本体３０は、キャップ３６及びその後に保護ホイル４２を取り外してバルブ本体３０の上側部分を露出することによって使用される。ネジ山４４及び４６は、雌部分４０に向けてチューブ５２を駆動するように係合する。チューブ５２は、雌部分４０を貫通してバルブ３０の内側部分に入り、液体が、壁１３からチューブ５０に向けて一方向に放出される。
【００１８】
本発明の好ましい実施形態では、パウチ本体は、分注器噴出口が分注器ネックの遠位端に係合する時に流体で充填可能ではない。
【００１９】
本発明の好ましい実施形態では、パウチ本体は、使用後に流体で再充填可能ではない。
【００２０】
本発明の好ましい実施形態では、底部閉鎖部は平坦である。
【００２１】
本発明の好ましい実施形態では、底部閉鎖部は、本体の底端から延びる切妻屋根の形態にあり、底部閉鎖部は、（ｉ）Ｖ字形垂直区画を有する底壁と、（ｉｉ）一方が容器の前部側面上で他方がその後部側面上である２つの傾斜部分とを含む。
【００２２】
本発明の好ましい実施形態では、分注器本体は、実質的に軸線方向の移動によって噴出口の遠位端の上に係合可能な取り外し可能カバーを更に含む。
【００２３】
本発明の好ましい実施形態では、カバーは、キャップと、分注器本体及びキャップに取り付けられる可撓性ハンドルとを含む。
【００２４】
本発明の好ましい実施形態では、パウチ本体は、分注器噴出口ベースに密封可能に係合する前に分注器ネックを通じて流体で充填される。
【００２５】
本発明の好ましい実施形態では、貫通ボア分注器ネックは、パウチ本体を流体で充填するのに充填機械に接続するのが容易である。
【００２６】
本発明の好ましい実施形態では、分注器本体は、パウチの前面傾斜部分から取り外し可能ではない。
【００２７】
本発明の好ましい実施形態では、パウチは、ＵＮ  Ｃｏｄｅ  ＵＮ１０２９による材料に関する国連勧告に従って漏出試験、落下試験、衝撃試験、積み重ね試験、引張強度試験、及びキャップ試験に合格する。
【００２８】
本発明の好ましい実施形態では、可撓性フィルム材料は、多層積層体である。
【００２９】
本発明の好ましい実施形態では、可撓性フィルム材料は、少なくとも３層構造を有する積層体である。
【００３０】
本発明の好ましい実施形態では、可撓性フィルム材料は、４層構造を有する積層体である。
【００３１】
本発明の好ましい実施形態では、層は、材料を含み、材料は、密封可能であり、かつ（１）金属で作られたホイル、プラスチック材料、特に熱可塑性プラスチック材料で作られた金属化層又はフィルム、又は金属ホイル及びプラスチック材料フィルムで作られた複合材と、（２）モノフィルム又はフィルム複合材としての熱可塑性プラスチック材料とで構成される群から選択される。
【００３２】
本発明の好ましい実施形態では、熱可塑性プラスチック材料は、密封可能であり、かつポリエステルと、ポリプロピレン又はポリエチレンのようなポリオレフィンと、ポリアミドと、ポリ塩化ビニルと、ポリカーボネートなどとで構成される群から選択される又はセロファン又は紙のようなセルロース含有材料で作られる。
【００３３】
本発明の好ましい実施形態では、ホイルは、密封可能であり、かつアルミニウムホイル、アルミニウム層、セラミック酸化珪素薄層、及びセラミック酸化アルミニウム薄層から構成される群から選択される。
【００３４】
本発明の好ましい実施形態では、可撓性フィルム材料は、
（ｉ）ＰＥＴ（ポリエチレンテレフタレート）／アルミニウムホイル／ｏＰＡ（配向ポリアミド）／ＰＥ（ポリエチレン）（又はＰＰ（ポリプロピレン））、
（ｉｉ）ＰＥＴ（ポリエチレンテレフタレート）／真空蒸着障壁／ｏＰＡ（配向ポリアミド）／ＰＥ（ポリエチレン）（又はＰＰ（ポリプロピレン））、
（ｉｉｉ）ＰＥＴ（ポリエチレンテレフタレート）／真空蒸着障壁／ＰＥＴ（ポリエチレンテレフタレート）／ＰＥポリエチレン（又はＰＰ（ポリプロピレン））、及び
（ｉｖ）ＰＥＴ（ポリエチレンテレフタレート）／ＰＥ（ポリエチレン）：ＥＶＯＨ（エチレンビニルアルコール）：ＰＥ（ポリエチレン）（又はＰＰ：ＥＶＯＨ（エチレンビニルアルコール）：ＰＰ（ポリプロピレン）から構成された群から選択される４層積層体である。
【００３５】
本発明の好ましい実施形態では、可撓性フィルム材料は、
（ｉ）ＰＥＴ（ポリエチレンテレフタレート）／ＰＥＴｍｅｔ（金属化ポリエステル）／ｏＰＡ（配向ポリアミド）／ＰＥ（ポリエチレン）、及び
（ｉｉ）ＰＥＴ（ポリエチレンテレレート）／アルミニウムフィルム／ｏＰＡ（配向ポリアミド）／ＰＥ（ポリエチレン）から構成された群から選択される４層積層体である。
【００３６】
本発明の好ましい実施形態では、可撓性フィルム材料は、（ｉ）ＰＥＴ（ポリエチレンテレフタレート）１２μｍ／ＰＥＴｍｅｔ（金属化ポリエステル）／ｏＰＡ（配向ポリアミド）１５μｍ／ＰＥ（ポリエチレン）ＰＥ８０μｍ又は１６０μｍ、及び（ｉｉ）ＰＥＴ（ポリエチレンテレフタレート）１２μｍ／アルミニウムフィルム９μｍ／ｏＰＡ（配向ポリアミド）１５μｍ／ＰＥ（ポリエチレン）ＰＥ８０μｍ又は１６０μｍから構成された群から選択される４層積層体である。
【００３７】
本発明の好ましい実施形態では、可撓性フィルム材料は、（ｉ）ＰＥＴ（ポリエチレンテレフタレート）１２μｍ／接着剤／ＰＥＴｍｅｔ（金属化ポリエステル）／接着剤／ｏＰＡ（配向ポリアミド）１５μｍ／接着剤／ＰＥ（ポリエチレン）ＰＥ８０μｍ又は１６０μｍ、及び（ｉｉ）ＰＥＴ（ポリエチレンテレフタレート）１２μｍ／接着剤／アルミニウムフィルム９μｍ／接着剤／ｏＰＡ（配向ポリアミド）１５μｍ／接着剤／ＰＥ（ポリエチレン）ＰＥ８０μｍ又は１６０μｍから構成された群から選択される４層積層体である。
【００３８】
本発明の好ましい実施形態では、可撓性フィルム材料は、約１２５から約２０５μｍ又は約１３０から約２１０μｍの総厚を有する。
【００３９】
本発明の好ましい実施形態では、層は、液体、気体、蒸気、湯気、香味又は臭気材料の通過に対する障壁特性を有する材料を含む。
【００４０】
本発明の好ましい実施形態では、熱可塑性プラスチック材料で作られたフィルムの厚みは、例えば、８から１００μｍ、１２から３０μｍ、又は１２から２３μｍである場合がある。
【００４１】
本発明の好ましい実施形態では、鋼ホイル又はアルミニウムで作られたフィルムの厚みは、５から１００μｍ又は８から３０μｍの間である。
【００４２】
本発明の好ましい実施形態では、パウチの内側であるフィルム材料の側面は、密封可能である。
【００４３】
本発明の好ましい実施形態では、パウチの外側であるフィルム材料の側面は、密封可能である。
【００４４】
本発明の好ましい実施形態では、可撓性フィルム材料は、３年のその在庫期間中に又は６ヶ月にわたる頻繁に４０℃の温度及び７５％の湿度の保管条件中にＥｐｒｉｎｅｘ  ｐｏｕｒ  Ｏｎ（登録商標）、Ｉｖｏｍｅｃ  Ｐｏｕｒ  Ｏｎ（登録商標）、Ｉｖｏｍｅｃ  Ｓｈｅｅｐ  Ｏｒａｌ（登録商標）、及びＴｏｐｌｉｎｅ（登録商標）から構成された群から選択される流体獣医学的製剤に対して不活性である。
【００４５】
本発明の好ましい実施形態では、シールは、３年のその在庫期間中に又は６ヶ月にわたる頻繁に４０℃の温度及び７５％の湿度の保管条件中にＥｐｒｉｎｅｘ  ｐｏｕｒ  Ｏｎ（登録商標）、Ｉｖｏｍｅｃ  Ｐｏｕｒ  Ｏｎ（登録商標）、Ｉｖｏｍｅｃ  Ｓｈｅｅｐ  Ｏｒａｌ（登録商標）、及びＴｏｐｌｉｎｅ（登録商標）から構成された群から選択される流体獣医学的製剤に対して不活性である。
【００４６】
本発明の好ましい実施形態では、可撓性フィルム材料は、酸素及び光に対する優れた障壁特性、水貫通に対するかなりの抵抗性、及び良好な衝撃強度を有する。
【００４７】
本発明の好ましい実施形態では、可撓性フィルム材料は、良好な剛性、すなわち、パウチの管状形を保つことができる厚み及び組成を有する。
【００４８】
本発明の好ましい実施形態では、パウチの容積は、約２から約２０リットル、約５から約２０リットル、約１５から約２０リットル、約２から約５リットル、約２から約１０リットル、又は約２から約１５リットルである。
【００４９】
本発明の好ましい実施形態では、パウチは、２次パッケージング、例えば、箱なしで搬送可能である。
【００５０】
本発明の好ましい実施形態では、パウチは、Ｅｐｒｉｎｅｘ  ｐｏｕｒ  Ｏｎ（登録商標）、Ｉｖｏｍｅｃ  Ｐｏｕｒ  Ｏｎ（登録商標）、Ｉｖｏｍｅｃ  Ｓｈｅｅｐ  Ｏｒａｌ（登録商標）、及びＴｏｐｌｉｎｅ（登録商標）から構成された群から選択される流体獣医学的製剤を閉じ込める。
【００５１】
本発明の好ましい実施形態では、パウチは、室温で３６ヶ月までにわたって安定した流体獣医学的製剤を提供する。
【００５２】
本発明の好ましい実施形態では、パウチ本体は、エンクロージャが流体で充填された時に実質的に剛性である。
【００５３】
本発明の好ましい実施形態では、パウチ本体は、いずれの追加の支持部材もなしに自立している。
【００５４】
本発明の好ましい実施形態では、パウチ本体は、流体で充填された時にパウチを支持するのを補助するいずれの予備材料も必要としない。
【００５５】
本発明の好ましい実施形態では、パウチ本体は、それを平坦な形態で製造、格納、及び／又は出荷することができるように設計される。
【００５６】
本発明の好ましい実施形態では、パウチ本体は、輪郭構造によって定められるバッグ形状にバッグを強制的に適合させるバッグ壁への圧力を流体が作用することにより、流体で部分的に充填された時でさえも望ましい形態まで膨張して自立状態になる。
【００５７】
本発明の好ましい実施形態では、パウチ本体は、パウチが支持体なしで立つことができる底部ガセットとしてより公知である底部「水平」パネルガセットを含有しない。
【００５８】
本発明の好ましい実施形態では、パウチ本体は、充填されたパウチの担持を容易にする少なくとも１つの一体化ハンドルを含む。
【００５９】
本発明の好ましい実施形態では、パウチ本体は、少なくとも１つのハンドルを含む。
【００６０】
本発明の好ましい実施形態では、ハンドルは、シールに取り付けられる。
【００６１】
本発明の好ましい実施形態では、ハンドルは補強される。
【００６２】
本発明の好ましい実施形態では、ハンドルはループである。
【００６３】
本発明の好ましい実施形態では、ハンドルは平面である。
【００６４】
本発明の好ましい実施形態では、ハンドルは凹部を含む。
【００６５】
本発明の好ましい実施形態では、ハンドルは、少なくとも１つの開口部を含む。
【００６６】
本発明の好ましい実施形態では、パウチ本体の後部側面は、少なくとも１つの把持部材を含む。
【００６７】
本発明の好ましい実施形態では、パウチ本体は、使用中に逆さまに吊される。
【００６８】
本発明の好ましい実施形態では、使用後のパウチ本体は、残留流体製剤をほとんど含有しない。
【００６９】
本発明の好ましい実施形態では、パウチ本体は、幅１７４ｃｍ／深さ１０４ｃｍ／長さ３４７ｃｍの流体が空の時の寸法と１５４ｃｍ×１１０ｃｍの対面寸法とを有する２．５Ｌの容積を有する。
【００７０】
本発明の好ましい実施形態では、パウチ本体は、幅１８５ｃｍ／深さ１４５ｃｍ／長さ４６０ｃｍの流体が空の時の寸法と１６５ｃｍ×１８５ｃｍの対面寸法とを有する５Ｌの容積を有する。
【００７１】
本発明の好ましい実施形態では、直立パウチは、図に示すようなものである。
【００７２】
本発明の好ましい実施形態では、分注器本体は、図に示すようなものである。
【００７３】
本発明の好ましい実施形態では、コネクタは、図に示すようなものである。
【００７４】
本発明の開示の実施形態は以下の通りである。
【００７５】
実施形態１．
可撓性フィルム材料で作られた流体獣医学的製剤を保持して分注するための直立パウチであって、パウチが、
Ａ）（ａ）流体を保持するためのキャビティを形成する実質的に正方形の断面と、
（ｂ）パウチ本体の上端から延びる切妻屋根の形態であり、（ｉ）反転Ｖ字形垂直区画を有する上壁と（ｉｉ）一方が容器の前部側面上及び他方がその後部側面上である２つの傾斜部分とを含む上部閉鎖部と、
（ｃ）パウチ本体の下端に連続する底部閉鎖部と、
（ｄ）分注器本体を含む流体分注器手段であって、その長さに沿って延びる流れ貫通通路を有し、
ｉ）分注器ネックと、
ｉｉ）分注器ネックから半径方向外向きにかつその近位端で突出する分注器ベースと、
ｉｉｉ）分注器ベースが、パウチの前面傾斜部分内の開口の周囲に取り付けられ、
ｉｖ）分注器ネックの遠位端に密封可能に係合して一方向バルブを閉じ込める分注器噴出口とが設けられた上記流体分注器手段とを有するパウチ本体と、
Ｂ）ドレンチガンであって、チューブの遠位端でガンに接続された流体連通チューブを有し、分注器噴出口が、パウチ本体からドレンチガンまでの流体流れを可能にするようにチューブの近位端に接続され、チューブが、コネクタを用いて分注器噴出口に接続される上記ドレンチガンと、を備えている直立パウチ。
【００７６】
実施形態２．
一方向バルブが、バネ荷重式ピンバルブ、バネ荷重式ボールバルブ、フラッパーバルブ、スリットバルブ、バネバルブ、チェックバルブ、スワブ可能バルブ、クアドロローブバルブ、オーバーモールドフラッパーバルブ、ダックビルバルブ、傘バルブ、及びその組合せから構成される群から選択される実施形態１による直立パウチ。
【００７７】
実施形態３．
コネクタが、迅速結合コネクタ、迅速解除コネクタ、及びその組合せから構成される群から選択される実施形態１による直立パウチ。
【００７８】
実施形態４．
一方向バルブが、
（ｉ）形状が実質的に円錐形であり、その長さを通って延びてチューブの近位端に取り付けられた流れ貫通通路を有する雄コネクタ本体と、
（ｉｉ）形状が実質的に円錐形であり、その長さを通って延びて雄コネクタ本体が雌コネクタ本体に係合する時に流体流れがパウチ本体からドレンチガンまで可能にされ、雄コネクタ本体が雌コネクタ本体から解除される時に流体流れがパウチ本体からドレンチガンまで可能にされないように分注器噴出口に取り付けられた流れ貫通通路を有する雌コネクタ本体と、を備えている実施形態１による直立パウチ。
【００７９】
実施形態５．
パウチ本体が、分注器噴出口が分注器ネックの遠位端に係合する時に流体で充填可能ではない実施形態１による直立パウチ。
【００８０】
実施形態６．
パウチ本体が、使用後に流体で再充填可能ではない実施形態１による直立パウチ。
【００８１】
実施形態７．
底部閉鎖部が平坦である実施形態１による直立パウチ。
【００８２】
実施形態８．
底部閉鎖部が、本体の底端から延びる切妻屋根の形態にあり、底部閉鎖部が、（ｉ）Ｖ字形垂直区画を有する底壁と（ｉｉ）一方が容器の前部側面上及び他方がその後部側面上である２つの傾斜部分とを含む実施形態１による直立パウチ。
【００８３】
実施形態９．
分注器本体が、実質的に軸線方向移動によって噴出口の遠位端の上に係合可能な取り外し可能なカバーを更に含む実施形態１による直立パウチ。
【００８４】
実施形態１０．
カバーが、キャップ及び可撓性ハンドルを含み、ハンドルが、分注器本体及びキャップに取り付けられる実施形態１による直立パウチ。
【００８５】
実施形態１１．
パウチ本体が、分注器噴出口ベースと密封可能に係合する前に分注器ネックを通じて流体で充填される実施形態１による直立パウチ。
【００８６】
実施形態１２．貫通ボア分注器ネックが、充填機械に接続してパウチ本体を流体で充填するのに容易である実施形態１による直立パウチ。
【００８７】
実施形態１３．
分注器本体が、パウチの前面傾斜部分から取り外し可能ではない実施形態１による直立パウチ。
【００８８】
実施形態１４．
パウチが、ＵＮ  Ｃｏｄｅ  ＵＮ１０２９による材料に関する国連勧告に従って漏出試験、落下試験、衝撃試験、積み重ね試験、引張強度試験、及びキャップ試験に合格する実施形態１による直立パウチ。
【００８９】
実施形態１５．
可撓性フィルム材料が多層積層体である実施形態１による直立パウチ。
【００９０】
実施形態１６．
可撓性フィルム材料が少なくとも３層構造を有する積層体である実施形態１による直立パウチ。
【００９１】
実施形態１７．
可撓性フィルム材料が４層構造を有する積層体である実施形態１による直立パウチ。
【００９２】
実施形態１８．
層が、材料を含み、材料が、密封可能であり、かつ
（１）金属で作られたホイル、プラスチック材料、特に熱可塑性プラスチック材料で作られた金属化層又はフィルム、又は金属ホイル及びプラスチック材料フィルムで作られた複合材と
（２）モノフィルム又はフィルム複合材としての熱可塑性プラスチック材料とで構成された群から選択される実施形態１による直立パウチ。
【００９３】
実施形態１９．
熱可塑性プラスチック材料が、密封可能であり、かつポリエステル、ポリプロピレン又はポリエチレンのようなポリオレフィン、ポリアミド、ポリ塩化ビニル、ポリカーボネートなどから構成される群から選択され、又はセロファン又は紙のようなセルロース含有材料で作られる実施形態１による直立パウチ。
【００９４】
実施形態２０．
ホイルが、密封可能であり、かつアルミニウムホイル、アルミニウム層、セラミック酸化珪素薄層、及びセラミック酸化アルミニウム薄層から構成された群から選択される実施形態１による直立パウチ。
【００９５】
実施形態２１．
可撓性フィルム材料が、
（ｉ）ＰＥＴ（ポリエチレンテレフタレート）／アルミニウムホイル／ｏＰＡ（配向ポリアミド）／ＰＥ（ポリエチレン）（又はＰＰ（ポリプロピレン））、
（ｉｉ）ＰＥＴ（ポリエチレンテレフタレート）／真空蒸着障壁／ｏＰＡ（配向ポリアミド）／ＰＥ（ポリエチレン）（又はＰＰ（ポリプロピレン））、
（ｉｉｉ）ＰＥＴ（ポリエチレンテレフタレート）／真空蒸着障壁／ＰＥＴ（ポリエチレンテレフタレート）／ＰＥポリエチレン（又はＰＰ（ポリプロピレン））、及び
（ｉｖ）ＰＥＴ（ポリエチレンテレフタレート）／ＰＥ（ポリエチレン）：ＥＶＯＨ（エチレンビニルアルコール）：ＰＥ（ポリエチレン）（又はＰＰ：ＥＶＯＨ（エチレンビニルアルコール）：ＰＰ（ポリプロピレン）から構成された群から選択される４層積層体である実施形態１による直立パウチ。
【００９６】
実施形態２２．
可撓性フィルム材料が、（ｉ）ＰＥＴ（ポリエチレンテレフタレート）／ＰＥＴｍｅｔ（金属化ポリエステル）／ｏＰＡ（配向ポリアミド）／ＰＥ（ポリエチレン）、及び（ｉｉ）ＰＥＴ（ポリエチレンテレレート）／アルミニウムフィルム／ｏＰＡ（配向ポリアミド）／ＰＥ（ポリエチレン）から構成された群から選択される４層積層体である実施形態１による直立パウチ。
【００９７】
実施形態２３．
可撓性フィルム材料が、
（ｉ）ＰＥＴ（ポリエチレンテレフタレート）１２μｍ／ＰＥＴｍｅｔ（金属化ポリエステル）／ｏＰＡ（配向ポリアミド）１５μｍ／ＰＥ（ポリエチレン）ＰＥ８０μｍ又は１６０μｍ、及び
（ｉｉ）ＰＥＴ（ポリエチレンテレフタレート）１２μｍ／アルミニウムフィルム９μｍ／ｏＰＡ（配向ポリアミド）１５μｍ／ＰＥ（ポリエチレン）ＰＥ８０μｍ又は１６０μｍから構成された群から選択される４層積層体である実施形態１による直立パウチ。
【００９８】
実施形態２４．
可撓性フィルム材料が、
（ｉ）ＰＥＴ（ポリエチレンテレフタレート）１２μｍ／接着剤／ＰＥＴｍｅｔ（金属化ポリエステル）／接着剤／ｏＰＡ（配向ポリアミド）１５μｍ／接着剤／ＰＥ（ポリエチレン）ＰＥ８０μｍ又は１６０μｍ、及び
（ｉｉ）ＰＥＴ（ポリエチレンテレフタレート）１２μｍ／接着剤／アルミニウムフィルム９μｍ／接着剤／ｏＰＡ（配向ポリアミド）１５μｍ／接着剤／ＰＥ（ポリエチレン）ＰＥ８０μｍ又は１６０μｍから構成された群から選択される４層積層体である実施形態１による直立パウチ。
【００９９】
実施形態２５．
可撓性フィルム材料が、約１２５から約２０５μｍ又は約１３０から約２１０μｍの総厚を有する実施形態１による直立パウチ。
【０１００】
実施形態２６．
層が、液体、気体、蒸気、湯気、香味、又は臭気材料の通過に対する障壁特性を有する材料を含む実施形態１による直立パウチ。
【０１０１】
実施形態２７．
熱可塑性プラスチック材料で作られたフィルムの厚みが、例えば、８から１００μｍ、１２から３０μｍ、又は１２から２３μｍとすることができる実施形態１による直立パウチ。
【０１０２】
実施形態２８．
鋼ホイル又はアルミニウムで作られたフィルムの厚みが、５から１００μｍ又は８から３０μｍである実施形態１による直立パウチ。
【０１０３】
実施形態２９．
パウチの内側であるフィルム材料の側面が密封可能である実施形態１による直立パウチ。
【０１０４】
実施形態３０．
パウチの外側にあるフィルム材料の側面が密封可能である実施形態１による直立パウチ。
【０１０５】
実施形態３１．
可撓性フィルム材料が、３年のその在庫期間中又は６ヶ月間の４０℃の温度及び７５％の湿度での保管条件中にＥｐｒｉｎｅｘ  ｐｏｕｒ  Ｏｎ（登録商標）、Ｉｖｏｍｅｃ  Ｐｏｕｒ  Ｏｎ（登録商標）、Ｉｖｏｍｅｃ  Ｓｈｅｅｐ  Ｏｒａｌ（登録商標）、及びＴｏｐｌｉｎｅ（登録商標）から構成された群から選択される流体獣医学的製剤に対して不活性である実施形態１による直立パウチ。
【０１０６】
実施形態３２．
シールが、３年のその在庫期間中又は６ヶ月間の４０℃の温度及び７５％の湿度での保管条件中にＥｐｒｉｎｅｘ  ｐｏｕｒ  Ｏｎ（登録商標）、Ｉｖｏｍｅｃ  Ｐｏｕｒ  Ｏｎ（登録商標）、Ｉｖｏｍｅｃ  Ｓｈｅｅｐ  Ｏｒａｌ（登録商標）、及びＴｏｐｌｉｎｅ（登録商標）から構成された群から選択される流体獣医学的製剤に対して不活性である実施形態１８から実施形態２０のいずれかによる直立パウチ。
【０１０７】
実施形態３３．
可撓性フィルム材料が、酸素及び光に対する優れた障壁特性、水貫通に対するかなりの抵抗性、及び良好な衝撃強度を有する実施形態１による直立パウチ。
【０１０８】
実施形態３４．
可撓性フィルム材料が、良好な剛性、すなわち、パウチの管状形を保つことができる厚み及び組成を有する実施形態１による直立パウチ。
【０１０９】
実施形態３５．
パウチの容積が、約２から約２０リットル、約５から約２０リットル、約１５から約２０リットル、約２から約５リットル、約２から約１０リットル、又は約２から約１５リットルである実施形態１による直立パウチ。
【０１１０】
実施形態３６．
パウチが、２次パッケージング、例えば、箱なしで搬送可能である実施形態１による直立パウチ。
【０１１１】
実施形態３７．
パウチが、Ｅｐｒｉｎｅｘ  ｐｏｕｒ  Ｏｎ（登録商標）、Ｉｖｏｍｅｃ  Ｐｏｕｒ  Ｏｎ（登録商標）、Ｉｖｏｍｅｃ  Ｓｈｅｅｐ  Ｏｒａｌ（登録商標）、及びＴｏｐｌｉｎｅ（登録商標）から構成された群から選択される流体獣医学的製剤を閉じ込める実施形態１による直立パウチ。
【０１１２】
実施形態３８．
パウチが、室温で３６ヶ月までにわたって安定した流体獣医学的製剤を提供する実施形態１による直立パウチ。
【０１１３】
実施形態３９．
パウチ本体が、エンクロージャが流体で充填される時に実質的に剛性である実施形態１による直立パウチ。
【０１１４】
実施形態４０．
パウチ本体が、いずれの追加の支持部材もなしに自立している実施形態１による直立パウチ。
【０１１５】
実施形態４１．
パウチ本体が、流体で充填する時にパウチを支持するのを補助するいずれの予備材料も必要としない実施形態１による直立パウチ。
【０１１６】
実施形態４２．
パウチ本体が、それを平坦な形態で製造、格納、及び／又は出荷することができるように設計される実施形態１による直立パウチ。
【０１１７】
実施形態４３．
パウチ本体が、バッグを輪郭構造によって定められたバッグ形状に適合するように強制するバッグ壁への圧力を作用する流体によって部分的に流体で充填される時でさえも望ましい形態に膨張して自立状態になる実施形態１による直立パウチ。
【０１１８】
実施形態４４．
パウチ本体が、パウチが支持体なしに立つことができる底部ガセットとしてより公知の底部「水平」パネルガセットを含有しない実施形態１による直立パウチ。
【０１１９】
実施形態４５．
パウチ本体が、充填されたパウチの担持を容易にする少なくとも１つの一体化ハンドルを含む実施形態１による直立パウチ。
【０１２０】
実施形態４６．
パウチ本体が、少なくとも１つのハンドルを有する実施形態１による直立パウチ。
【０１２１】
実施形態４７．
ハンドルが、シールに取り付けられる実施形態１による直立パウチ。
【０１２２】
実施形態４８．
ハンドルが補強される実施形態４６による直立パウチ。
【０１２３】
実施形態４９．
ハンドルがループである実施形態４６による直立パウチ。
【０１２４】
実施形態５０．
ハンドルが平面である実施形態４６による直立パウチ。
【０１２５】
実施形態５１．
ハンドルが凹部を含む実施形態４６による直立パウチ。
【０１２６】
実施形態５２．
ハンドルが、少なくとも１つの開口部を含む実施形態４６による直立パウチ。
【０１２７】
実施形態５３．
パウチ本体の後部側面が、少なくとも１つの把持部材を含む実施形態１による直立パウチ。
【０１２８】
実施形態５４．
パウチ本体が、使用中に逆さまに吊される実施形態１による直立パウチ。
【０１２９】
実施形態５５．
使用後にパウチ本体に残留流体製剤がほとんどない実施形態１による直立パウチ。
【０１３０】
実施形態５６．
パウチ本体が、幅１７４ｃｍ／深さ１０４ｃｍ／長さ３４７ｃｍの流体が空の時の寸法と１５４ｃｍ×１１０ｃｍの対面寸法とを有する２．５Ｌの容積を有する実施形態１による直立パウチ。
【０１３１】
実施形態５７．
パウチ本体が、幅１８５ｃｍ／深さ１４５ｃｍ／長さ４６０ｃｍの流体が空の時の寸法と１６５ｃｍ×１８５ｃｍの対面寸法とを有する５Ｌの容積を有する実施形態１による直立パウチ。
【図１】
2021530283.tif 000003
【図２】
2021530283.tif 000004
【図３】
2021530283.tif 000005
【図４Ａ】
2021530283.tif 000006
【図４Ｂ】
2021530283.tif 000007
【図４Ｃ】
2021530283.tif 000008
【図４Ｄ】
2021530283.tif 000009
【図５】
2021530283.tif 000010
【図６】
2021530283.tif 000011
【図７】
2021530283.tif 000012
【図８】
2021530283.tif 000013
【図９】
2021530283.tif 000014
【図１０】
2021530283.tif 000015
【図１１】
2021530283.tif 000016
【図１２】
2021530283.tif 000017
【図１３】
2021530283.tif 000018
【図１４】
2021530283.tif 000019
【国際調査報告】
2021530283.tif 000020
2021530283.tif 000021
2021530283.tif 000022